(57)【特許請求の範囲】
【請求項１】
固定軸回りに回転しつつワイヤを繰り出すように設けられたフライヤと、前記フライヤの回転に伴って前記フライヤから繰り出される前記ワイヤを、モータ支持手段により固定支持されたモータコアのコアスロット内に導くためのワイヤガイドとを有する巻線装置であって、
前記ワイヤガイドを静止状態にするために、前記ワイヤガイドと前記固定軸との互いに対峙する各軸線方向端面の少なくとも一方に磁気吸引手段が設けられていることを特徴とする巻線装置。
【請求項２】
前記ワイヤガイドと前記固定軸との互いに対峙する各軸線方向端面間に、前記ワイヤを前記フライヤに通すための隙間が設けられていることを特徴とする請求項１に記載の巻線装置。
【発明の詳細な説明】
【０００１】
【発明の属する技術分野】
本発明は、巻線装置に関するものである。
【０００２】
【従来の技術】
例えば特開２００２−２７７１４号公報には、装置本体にフライヤ軸を回転自在に支持し、そのフライヤ軸の軸心にワイヤ挿通路を設けると共に、フライヤ軸の軸線方向端部にフライヤを一体的に設けた巻線装置が示されている。また、装置本体によりワイヤガイド保持部材を回転自在に支持し、フライヤ軸とワイヤガイド保持部材とを別々にベルト駆動しかつ同期させて回転させると共に、そのワイヤガイド保持部材によりワイヤガイドを回転自在に支持することによりワイヤガイドを静止状態にさせている。
【０００３】
【発明が解決しようとする課題】
また、例えば特開昭５６−１６６７４８号公報に示されている巻線装置にあっては、巻線時にスピンドルとワイヤガイドとが共回りしないように静止状態（不動状態）とするために、スピンドルを一体的に支持する第１の回転軸と、ワイヤガイドを一体的に支持する第２の回転軸とを設け、両者間に歯車構造のワイヤガイド静止機構を設けて、ワイヤガイドを静止させるようにしている。
【０００４】
しかしながら、上記巻線装置にあっては、ワイヤガイドを静止させるためのワイヤガイド静止機構の歯車などの部品点数が多いばかりでなく、機種変更などによりワイヤガイドを交換する場合にもワイヤガイド静止機構を取り外した後に再度取り付けるなど、交換に要する時間が多大になるという問題があった。
【０００５】
【課題を解決するための手段】
このような課題を解決して、ワイヤガイドの交換を簡単に行うことができる巻線装置を実現するために、本発明に於いては、固定軸回りに回転しつつワイヤを繰り出すように設けられたフライヤと、前記フライヤの回転に伴って前記フライヤから繰り出される前記ワイヤを、モータ支持手段により固定支持されたモータコアのコアスロット内に導くためのワイヤガイドとを有する巻線装置であって、前記ワイヤガイドを静止状態にするために、前記ワイヤガイドと前記固定軸との互いに対峙する各軸線方向端面間に磁気吸引手段が設けられているものとした。
【０００６】
これによれば、機種変更などで形状の異なるモータコアに対応させてワイヤガイドを交換する場合に、磁気吸引力に抗してワイヤガイドを取り外すようにすれば良く、ワイヤガイドのみを簡単に取り外すことができ、ワイヤガイドの交換時間を短縮することができる。
【０００７】
特に、前記ワイヤガイドと前記固定軸との互いに対峙する各軸線方向端面間に、前記ワイヤを前記フライヤに通すための隙間が設けられていることによれば、ワイヤガイドと固定軸との互いに対峙する各軸線方向端面間に隙間を設けても、両者間には磁気吸引力が作用するため、ワイヤガイドを静止状態にすることに何ら不都合が生じることが無く、ワイヤを回転軸心に通した場合に隙間を介して容易にフライヤに通すことができる。
【０００８】
【発明の実施の形態】
以下に添付の図面に示された具体例に基づいて本発明の実施の形態について詳細に説明する。
【０００９】
図１は、本発明が適用された巻線装置の要部破断正面図であり、図２はその巻線装置の要部破断平面図である。図示されない固定ベースにブロック状の固定スタンド１が立設されており、その固定スタンド１の側方であって所定の位置に巻線対象のモータコア２が位置している。なお、モータコア２は、そのモータ軸２ａを図示されないモータ軸支持装置により把持されて固定状態に保持されている。なお、図ではモータコア２の片側についてのみ図示しているが、反対側にも同一構造のものを配設して同時に巻線を行うようにすることができ、その図示及び説明を省略する。
【００１０】
固定スタンド１の側面部には、上記モータコア２側に軸線を向けた固定軸３が突出状態にねじにより固設されている。固定軸３は、その軸心に軸線方向貫通孔を有する円筒状に形成されている。その固定軸３の上記貫通孔内には、適所をベアリングにより軸支されたインナシャフト４が同軸的に回転自在に設けられている。
【００１１】
固定軸３の外周には、適所をベアリングにより軸支されたフライヤ本体部５ａが回転自在に設けられている。フライヤ本体部５ａには、その外周面の一部からモータコア２に臨むように斜め外方に延出するフライヤアーム５ｂが一体的に設けられている。このようにして、フライヤ５が構成されている。なお、フライヤ本体部５ａの固定スタンド１側には歯付きプーリ５ｃが形成されており、その歯付きプーリ５ｃには図示されない駆動モータの駆動プーリとを連結する歯付きベルト６が掛け渡されている。
【００１２】
上記インナシャフト４には、固定軸３のモータコア２側端面からモータコア２側に所定量突出する突部４ａが同軸的に形成されている。突部４ａには例えば複数のベアリングを並べて組み付けた軸受部７が設けられており、その軸受部７にワイヤガイド８の胴部が嵌装されている。したがって、ワイヤガイド８はインナシャフト４に対して相対的に回転自在に支持されている。
【００１３】
また、インナシャフト４の軸心部には、固定スタンド１側に開口しかつ固定軸３のモータコア２側端面に対応する所までの深さの軸線方向孔が同軸的に形成されている。その軸線方向孔の固定スタンド１側にはワイヤ挿通路としてのワイヤガイドパイプ９が同軸的に挿入されており、軸線方向孔のモータコア２側にはガイドプーリ１０が回転自在に設けられている。また、固定スタンド１にも、ワイヤガイドパイプ９に対応して同軸的に位置するようにワイヤガイドパイプ１１が装着されている。
【００１４】
モータコア２に巻くためのワイヤＷは、図示されないワイヤ貯留部から引き出され、両ワイヤガイドパイプ１１によりガイドされてワイヤガイドプーリ１０に至る。ワイヤＷは、ワイヤガイドプーリ１０に至るまではインナシャフト４の軸心とほぼ同軸的に走るようにされ、ワイヤガイドプーリ１０によりインナシャフト４の略半径方向外向きに向かうようにされている。ワイヤガイドプーリ１０により向きを変えられたワイヤＷは、フライヤアーム５ｂに設けられた複数のワイヤガイドプーリ５ｄ・５ｅによりガイドされ、モータコア２に至る。
【００１５】
本巻線装置にあっては、固定軸３の外周に設けられたフライヤ５を回転させると共に、固定軸３の貫通孔内に設けられたインナシャフト４内に挿通したワイヤＷをフライヤ５に供給するようにワイヤガイドプーリ１０によりガイドしていることから、フライヤ５とインナシャフト４とを連結手段により連結して同期させている。
【００１６】
本図示例では、図３に併せて示されるように、インナシャフト４にその軸線を囲うようなＵ字状溝１３を形成し、そのＵ字状溝１３と補完的形状をなす部分を有する掛け渡し部材としてのＵ字状プレート１４を用いている。これにより、図の実線で示される取り付け状態で、Ｕ字状溝１３の一対の直線溝の底面とＵ字状プレート１４の両アーム部の直線部分とがインナシャフト４の軸線回りに対して係合し得る。このようにして回転方向係合手段が構成されている。
【００１７】
また、Ｕ字状プレート１４は、Ｕ字状溝１３に図３の矢印Ａに示されるようにインナシャフト４の軸線に直交する向きに差し込むようにして取り付けられる。その取り付け状態で、Ｕ字状プレート１４のＵ字における両アーム部分の長さがフライヤ本体部５ａに至るようにされていると共に、両アーム部分の遊端部がフライヤ本体部５ａにねじ１５により固着されている。したがって、フライヤ本体部５ａが例えば図３の矢印Ｂに示されるように回転すると、一体的にＵ字状プレート１４がインナシャフト４の軸線回りに回転し、Ｕ字状プレート１４とＵ字状溝１３との上記係合により、フライヤ本体部５ａの回転力がインナシャフト４に伝達される。
【００１８】
また、上記したように、インナシャフト４の突部４ａに装着された軸受部７にワイヤガイド８の胴部が嵌装されている。図４の矢印に示されるように、ワイヤガイド８を軸受部７に軸線方向に嵌装して、ワイヤガイド８がセットされる。そのワイヤガイド８の軸受孔８ａの内径Ｄ１は、軸受部７の外径Ｄ２よりも若干大きくされており（Ｄ１＞Ｄ２）、軸受孔８ａは軸受部７に対して挿抜可能な程度の遊びをもって嵌装されている。
【００１９】
また、固定軸３とワイヤガイド８とは、それぞれの各軸線方向端面間に隙間をあけて互いに対峙するように配設されている。その隙間は、ワイヤガイド８のセット状態において、軸受孔８ａの軸線方向底面と突部４ａの軸線方向端面との当接位置で設定されている。また、固定軸３の軸線方向端面には、図３に示されるように磁気吸引手段を構成する複数のマグネット１６が周方向に間隔をあけて配設されている。なお、固定軸３の軸線方向端面とフライヤ本体部５ａの軸線方向端面とは同一面上に位置している。
【００２０】
そして、ワイヤガイド８の固定軸３に対向する軸線方向端面にも、本図示例にあっては、使用状態において上記各マグネット１６に対応して周方向に同様の間隔をあけた磁気吸引手段を構成する複数のマグネット１７が配設されている。なお、各対向するマグネット１６・１７同士は互いに磁気吸引される磁極の組み合わせになっている。これにより、ワイヤガイド８は、固定軸３に対して磁気吸引されて静止状態に保持される。また、いずれか一方を磁性体にしても良い。
【００２１】
そして、駆動モータにより歯付きベルト６を介してフライヤ５を回転させて、タングカバー１２を用いてコンミテータ２ｂのタングにワイヤＷを掛ける工程と、モータコア２のコアスロット内にワイヤＷを巻き付ける工程とを組み合わせて、モータコア２に対する巻線を行う。
【００２２】
この時、ワイヤＷは、固定軸３とワイヤガイド８との各軸線方向端面間の隙間を介してインナシャフト４からフライヤ５に引き出される。そのような隙間を設けても、ワイヤガイド８と固定軸３とを磁気吸引していることから、何ら問題が生じることがない。
【００２３】
また、上記したように、インナシャフト４とフライヤ５とをＵ状プレート１４を用いて連結するようにして、インナシャフト４とはそのＵ字状溝１３の直線溝部分との係合により、フライヤ５とはねじ結合により、それぞれ回転方向に係合させている。したがって、フライヤ５の取り付け／取り外しが容易であり、メンテナンス性が良い。
【００２４】
また、ワイヤガイド８は磁気吸引力により固定軸３に対して連結状態にされており、モータコアの機種変更により別のワイヤガイドに交換する場合などにおいて、磁気吸引力に抗してワイヤガイド８を取り外せば良く、ねじを緩めたり締めたりすることがないため、その交換作業が簡単である。なお、ワイヤガイド８はインナシャフト４の突部４ａに軸受部７を介して支持されているが、上記したように、その嵌合状態はゆるみ嵌め程度であって良く、取り付け／取り外し作業は容易である。
【００２５】
また、従来例のように歯車機構を用いたりしてワイヤガイドを静止状態にするものにあっては、歯車構のがたによる偏心があり、ワイヤガイドをコアスロットに対して高精度に位置決めすることができないという問題があった。それに対して、本発明によれば、固定軸３との間でワイヤガイド８を静止状態に保持するようにしていることから、ワイヤガイド８の位置決めを高精度化し得るため、スロット開放幅の小さいモータコアの巻線も容易に行うことができる。
【００２６】
【発明の効果】
このように本発明によれば、ワイヤガイドを磁気吸引力により静止状態にさせていることから、ワイヤガイドの交換時には簡単に取り外し、取り付けることができるため、交換作業性が良い。さらに、ワイヤガイドの静止機構に歯車機構などを用いないことから、その取り付けスペースを必要とせず、軸線方向長さを従来装置よりも大幅に短かくできるため、回転時の振れが抑制されると共に慣性モーメントも小さくなり、高速立ち上げや高速回転が可能になるため、巻線作業時間が短縮化され、生産性を向上し得る。
【図面の簡単な説明】
【図１】本発明が適用された巻線装置の要部破断正面図。
【図２】図１の巻線装置の要部破断平面図。
【図３】図２の矢印III−III線に沿って見た固定軸及びフライヤの端面図。
【図４】ワイヤガイドの取り付け要領を示す要部破断部分図。
【符号の説明】
１  固定スタンド
２  モータコア
３  固定軸
４  インナシャフト
５  フライヤ
６  歯付きベルト
７  軸受部
８  ワイヤガイド
９  ワイヤガイドパイプ
１０  ガイドプーリ
１３  Ｕ字状溝
１４  Ｕ字状プレート
１６・１７  マグネット
【図１】
0004061110.tif 000002
【図２】
0004061110.tif 000003
【図３】
0004061110.tif 000004
【図４】
0004061110.tif 000005